(57)【要約】【課題】  広範囲に均一に播種でき、しかも底生生物の生育を阻害せず、また種子を確実に生長させることができる顕花植物生育場造成用シート、ネット及び顕花植物生育場造成方法を提供する。【解決手段】  この顕花植物生育場造成用シート１０は、通水性が比較的高いシート材１１から構成され、顕花植物育成補助用材料３０，３１，３２を詰め込むことのできる複数のポット部１２をシート面に設け、海底に設置することでアマモ生育場等を造成できる。【選択図】  図１
2005261289.tif 000002
【特許請求の範囲】
【請求項１】
通水性が比較的高いシート材から構成され、顕花植物育成補助用材料を詰め込むことのできる複数のポット部をシート面に設けたことを特徴とすることを特徴とする顕花植物生育場造成用シート。
【請求項２】
前記顕花植物育成補助用材料は、顕花植物種子入りの粒状物と、泥粒状物と、栄養剤とを含むことを特徴とする請求項１に記載の顕花植物生育場造成用シート。
【請求項３】
前記顕花植物育成補助用材料として、砂及び礫の少なくとも一方を更に含むことを特徴とする請求項２に記載の顕花植物生育場造成用シート。
【請求項４】
前記ポット部が通水性が比較的高い材料または生分解性材料から構成されたことを特徴とする請求項１，２または３に記載の顕花植物生育場造成用シート。
【請求項５】
網目状のネット材から構成され、顕花植物育成補助用材料を詰め込むことのできる複数のポット部をネット面に設けたことを特徴とすることを特徴とする顕花植物生育場造成用ネット。
【請求項６】
前記顕花植物育成補助用材料は、顕花植物種子入りの粒状物と、泥粒状物と、栄養剤と、を含むことを特徴とする請求項５に記載の顕花植物生育場造成用ネット。
【請求項７】
前記顕花植物育成補助用材料として、砂及び礫の少なくとも一方を更に含むことを特徴とする請求項６に記載の顕花植物生育場造成用ネット。
【請求項８】
前記ネット材及び前記ポット部が通水性が比較的高い材料または生分解性材料から構成されたことを特徴とする請求項５，６または７に記載の顕花植物生育場造成用ネット。
【請求項９】
顕花植物を育成し顕花植物生育場を造成するために、請求項１，２，３または４に記載の顕花植物生育場造成用シートまたは請求項５，６，７または８に記載の顕花植物生育場造成用ネットの前記ポット部に前記顕花植物育成補助用材料を詰め込み、前記顕花植物生育場造成用シートまたは前記顕花植物生育場造成用ネットを海底に設置することを特徴とする顕花植物生育場造成方法。
【発明の詳細な説明】
【技術分野】
【０００１】
本発明は、アマモ生育場等の顕花植物生育場を造成するための顕花植物生育場造成用シート、ネット及び顕花植物造成方法に関する。
【背景技術】
【０００２】
海産種子植物であるアマモ（Zostera marina）は、北半球の浅海域に生育する海草であり、日本沿岸では北海道から九州まで広く分布し、草丈は１〜２ｍで、水深７〜８ｍ以下の内湾や浅海域で群落を形成している。アマモが群落状に生育するアマモ生育場は、内湾や浅い海域の生態系や環境保全に大変重要な役割を果たす。即ち、アマモ生育場は、潮流を和らげ、外敵からの隠れ場にもなるため、魚介類の産卵場や生育・繁殖の場となっており、また、海の富栄養化の原因となる窒素やリンを吸収し、内湾・浅海域の水質浄化にも重要な役割を果たしている。近年、日本沿岸のアマモ生育場の減少に伴い、アマモ生育場回復のための技術開発が行われている（下記非特許文献１参照）。
【０００３】
このようなアマモ生育場の造成のため、下記特許文献１は、粘土からなる蒲状、ロープ状の塊の表面に種子を含有させたアマモ育成用構成体を開示する。このアマモ育成用構成体によれば、波浪による種子の流失がなく、発芽率は直播よりも高い。しかし、このアマモ育成用構成体はロープ状またはリボン状のため帯状にしか播種できず、広範囲に均一に播種できない。また、潜水や重機による播種作業は手間がかかる。
【０００４】
また、下記特許文献２は、種子と混合した固着剤を生分解性樹脂に配設した播種シートを開示する。この播種シートによれば、所謂マット式によりアマモ生育場の大規模造成が可能であり、アマモが生長するまで底質を固定でき、波浪による種子の流失がなく、発芽率が直播と同程度であるが、シートが分解するまで、シートの下の底生生物が底表面に出られず、圧迫死してしまい、また、シートを押さえる金網に付着藻類が着生して競合する。また、マット式では生長後、根を張る基盤が存在しないため、アマモの生育に適した場でないと、発芽・生長後に流失する可能性が高い。
【０００５】
また、下記特許文献３は、種子を含む生育基盤材と石を混合したものをネット状袋体に充填し海域に設置する播種基体を開示する。この播種基体によれば、所謂土嚢式造成が可能で、アマモが生長するまで底質を固定でき、波浪による種子の流失がないが、土嚢が分解するまで、土嚢下の底生生物が底表面に出られず、圧迫死してしまう。
【非特許文献１】三重県科学技術振興センター  平成１４年度共同研究成果一般公開講座発表資料「アマモ場を増やそう」(http://mpstpc.pref.mie.jp/topics/kou0202/)
【特許文献１】特開平０９−２０５９１５号公報
【特許文献２】特開平１１−３０８９０４号公報
【特許文献３】特開２００１−１６９６１１公報
【発明の開示】
【発明が解決しようとする課題】
【０００６】
本発明は、上述のような従来技術の問題に鑑み、広範囲に均一に播種でき、しかも底生生物の生育を阻害せず、また種子を確実に生長させることができる顕花植物生育場造成用シート、ネット及び顕花植物生育場造成方法を提供することを目的とする。
【課題を解決するための手段】
【０００７】
上記目的を達成するために、本発明による顕花植物生育場造成用シートは、通水性が比較的高いシート材から構成され、顕花植物育成補助用材料を詰め込むことのできる複数のポット部をシート面に設けたことを特徴とする。
【０００８】
この顕花植物生育場造成用シートによれば、通水性が比較的高いシート材から構成されるので、海底設置後もシートの下に生育する底生生物の成育を阻害せず、また顕花植物が根の張る基盤の一部となる。また、シート面に設けた複数のポット部に顕花植物育成補助用材料を詰め込み海底に設置できるので、広範囲に均一に播種できる。
【０００９】
上記顕花植物生育場造成用シートにおいて前記顕花植物育成補助用材料は、顕花植物種子入りの粒状物と泥粒状物と栄養剤とをポット部に詰め込み混合することで、発芽に必要な適度な嫌気状態を保つことができ、発芽率を向上できるとともに、発芽後のアマモの生長を促進できる。また、ポット部内の発芽体は栄養剤により周辺のアマモと比較して生長が促進される。また、顕花植物種子入りの粒状物と泥粒状物は、顕花植物の栄養分となるほか、比重が軽く流失し易い発芽個体が根を張るまでは固定基盤となり、根を張る際には支持基盤となり、波浪による種子の流失を阻止できる。従って、アマモ等の顕花植物を確実に育成でき、アマモ生育場等の顕花植物生育場を確実かつ効率的に造成できる。
【００１０】
また、前記顕花植物育成補助用材料として砂及び礫の少なくとも一方を更に含むことが好ましい。砂及び／又は礫により、シートを水中に投入するときに自重を増すことができ、また、アマモ等の顕花植物の支持基盤を安定させることができ、水底で造成される顕花植物生育場における浸食防止及び底質安定性の向上に寄与できる。
【００１１】
また、前記ポット部が通水性が比較的高い材料または生分解性材料から構成されることが好ましい。これにより、ポット部がアマモの根の張る基盤の一部となる。
【００１２】
本発明による顕花植物生育場造成用ネットは、網目状のネット材から構成され、顕花植物育成補助用材料を詰め込むことのできる複数のポット部をネット面に設けたことを特徴とすることを特徴とする。
【００１３】
この顕花植物生育場造成用ネットによれば、網目状のネット材から構成されるので、海底に設置後にシートの下に生育する底生生物の成育を阻害しない。また、ネット面に設けた複数のポット部に顕花植物育成補助用材料を詰め込み海底に設置できるので、広範囲に均一に播種できる。
【００１４】
上記顕花植物生育場造成用ネットにおいて前記顕花植物育成補助用材料は、顕花植物種子入りの粒状物と泥粒状物と栄養剤とをポット部に詰め込み混合することで、発芽に必要な適度な嫌気状態を保つことができ、発芽率を向上できるるとともに、発芽後のアマモの生長を促進できる。また、ポット部内の発芽体は栄養剤により周辺のアマモと比較して生長が促進される。また、顕花植物種子入りの粒状物と泥粒状物は、顕花植物の栄養分となるほか、比重が軽く流失し易い発芽個体を根が張るまでは固定基盤となり、根が張る際には支持基盤となり、波浪による種子の流失を阻止できる。従って、アマモ等の顕花植物を確実に育成でき、アマモ生育場等の顕花植物生育場を確実かつ効率的に造成できる。
【００１５】
また、前記顕花植物育成補助用材料として砂及び礫の少なくとも一方を更に含むことが好ましい。砂及び／又は礫により、シートを水中に投入するときに自重を増すことができ、また、アマモ等の顕花植物の支持基盤を安定させることができ、水底で造成される顕花植物生育場における浸食防止及び底質安定性の向上に寄与できる。
【００１６】
また、前記ネット材及び前記ポット部が通水性が比較的高い材料または生分解性材料から構成されることが好ましい。これにより、ネット材及びポット部がアマモの根の張る基盤の一部となる。
【００１７】
本発明による顕花植物生育場造成方法は、顕花植物を育成し顕花植物生育場を造成するために、上述の顕花植物生育場造成用シートまたは上述の顕花植物生育場造成用ネットの前記ポット部に前記顕花植物育成補助用材料を詰め込み、前記顕花植物生育場造成用シートまたは前記顕花植物生育場造成用ネットを海底に設置することを特徴とする。
【００１８】
この顕花植物生育場造成方法によれば、シートまたはネットは通水性であるので、海底に設置後にシートの下に生育する底生生物の成育を阻害しない。また、複数のポット部に顕花植物育成補助用材料を詰め込み海底に設置できるので、広範囲に均一に播種できる。また、顕花植物育成補助用材料は顕花植物種子入りの粒状物と泥粒状物と栄養剤とをポット部に詰め込み混合することで、発芽率を向上でき、発芽後には根の支持基盤を形成し、顕花植物を確実に成長させることができる。また、ポット部内の発芽体は栄養剤により周辺のアマモと比較して生長が促進され、また、波浪による種子の流失を阻止できる。従って、アマモ等の顕花植物を確実に育成でき、アマモ生育場等の顕花植物生育場を確実かつ効率的に造成できる。
【発明の効果】
【００１９】
本発明の顕花植物生育場造成用シート、顕花植物生育場造成用ネット及び顕花植物生育場造成方法によれば、広範囲に均一に播種できかつ底生生物の生育を阻害せず、また種子の生長の際に固定基盤・支持基盤を形成できるので、顕花植物を確実に育成でき、顕花植物生育場を確実かつ効率的に造成できる。
【発明を実施するための最良の形態】
【００２０】
以下、本発明を実施するための最良の形態について図面を用いて説明する。
【００２１】
〈第１の実施の形態〉
【００２２】
図１は、第１の実施の形態によるアマモ生育場造成用シートを概略的に示す斜視図（ａ）、図１（ａ）のアマモ生育場造成用シートの概略的な平面図（ｂ）、及び図１（ｂ）のＣ−Ｃ線方向に切断して見た概略的な断面図（ｃ）である。
【００２３】
図１（ａ）乃至（ｃ）に示すように、アマモ生育場造成用シート１０は、比較的広いシート材１１と、シート材１１のシート面に縦横にそれぞれほぼ一定間隔で配置された複数のポット部１２と、を備える。
【００２４】
各ポット部１２は、シート材１１の上面に開口し下方に突き出るように凹状に形成され有底に構成されている。ポット部１２の深さｄは、一般的なアマモの発芽可能埋没深度（１０ｃｍ以浅）を考慮し、１０ｃｍ以下が好ましい。
【００２５】
ポット部１２内に、顕花植物種子としてアマモ種子を入れて粘性土などに固化材を混合して粒状化させたアマモ種子入り粒状化物３０と、粘性土などに固化材を混合して粒状化させた泥粒状化物３１と、粒状の栄養剤３２とをアマモ育成補助用材料として詰め込むことができる。また、アマモ生育場の底質安定性の向上等のためにポット部１２に砂や礫を加えることが好ましく、また、これにより、シート材１１やアマモ育成補助用材料を詰め込んだポット部１２が軽い場合は、自重を増すことができる。
【００２６】
シート材１１及びポット部１２を構成する材料として通水性の比較的高いものを用い、例えば、天然素材からなるヤシガラマットやヤシ繊維製の植生マット等を用いることで、海底設置後にシート１０の下の底生生物の生息を可能にする。具体的には、ファイバーマット（日研化成株式会社）、古紙リサイクルによる緑化用マット（石川県創造化開発協同組合）、ケナフ湿床材（ダイニック株式会社）、ロックウールマット等がある。
【００２７】
また、ポット部１２はアセチルロース等の生分解性樹脂からなる公知の生分解性シートから構成してもよい。 シート材１１及びポット部１２を天然素材からなるヤシガラマット等や生分解性シートから構成することで、海底で分解されるまでの間にアマモの根の張る基盤の一部となる。
【００２８】
次に、上述のアマモ育成補助用材料のアマモ種子入り粒状化物の製造工程について図２を参照して説明する。図２は図１のアマモ種子入り粒状化物を製造可能な造粒プラントの模式図（ａ）及び製造されたアマモ種子入り粒状化物を示す模式図（ｂ）である。
【００２９】
アマモ育成補助用材料のアマモ種子入り粒状化物３０は、アマモ種子と浚渫土とを含む粘性土と石膏系固化材と水溶性ポリマーとを混合した後、粒状化したものである。図２（ａ）に示す造粒プラント３８は造粒装置等を備えるが、この造粒装置としては、本出願人が先に特開２００３−１２９７公報において提案した造粒ミキサを用いることができる。
【００３０】
図２（ａ）の造粒プラント３８に浚渫土・アマモ種子・中性固化材・水溶性ポリマを供給すると、水溶性ポリマーが泥土に混入することで水分を凝集し、粒状化させることができるとともに、投入された固化材は均一に分散され、粒子単位に分散された被処理物の粒子の周囲に塗され、塗された粒子単位の被処理物はより強固に凝集して粒状化物となる。粒状化物は水分を保持しているため、作成から播種までの期間、乾燥から種子を守ることができる。そして、所定期間養生して、図１（ｂ）に模式的に示すようなアマモ種子２９が入った粒状化物３０を多数得ることができる。
【００３１】
なお、上記水溶性ポリマーとしては、例えば、ＲＣ−１，ＲＣ−１（ＱＢ）（テルナイト）、または、パラロック（石原産業）等を用いることができる。また、中性固化材としては、例えば、ジプサンダー（石原産業）、または、プラスタロック（丹羽工務店）等の、石膏を主体とした中性で固化するものを用いることができる。この固化は数時間程度でほぼ終了する。
【００３２】
また、上記アマモ種子入り粒状化物は、先に、本発明者の一人が他の発明者とともに、特願２００３−３０９４６７においてアマモ育成材料として提案したものであり、同先願に記載の他の製造方法によるアマモ種子入り粒状化物を用いてもよい。
【００３３】
また、泥粒状化物３１は、図２（ａ）と同様の造粒プラントに浚渫土・中性固化材・水溶性ポリマを供給することで同様にして製造できる。このように、泥粒状化物３１は図２（ａ）の造粒プラント３８に供給する材料からアマモ種子を除くだけで製造できるので、効率よく製造できる。
【００３４】
また、栄養剤３２としては、アマモの成長を促進させるものであり、発芽段階で大量に必要な窒素などの栄養分を含む油かす等の一般肥料や市販の各種栄養剤や人工ゼオライト（ＮＨ４型・Ｆｅ型等）を粒状化させて用いることができる。栄養剤３２をポット部１２内に含めることで、海底に設置後にアマモの発芽体は周辺のアマモと比較して生長が促進される。なお、栄養剤を泥粒状化物３１やアマモ種子入り粒状化物３０に混合して含めるようにしてもよい。
【００３５】
次に、上述のアマモ生育場造成用シート１０を用いてアマモ生育場を造成する工程について図３を参照して説明する。図３は図１のアマモ生育場造成用シートを海底に設置した状態（ａ）及び発芽後の状態（ｂ）をそれぞれ模式的に示す図である。
【００３６】
まず、図１（ａ）〜（ｃ）のアマモ生育場造成用シート１０の各ポット部１２に、アマモ育成補助用材料としてアマモ種子入り粒状化物３０と泥粒状化物３１と粒状の栄養剤３２とを所定の割合で詰め込む。また、必要に応じて、ポット部１２に砂や礫を加えて自重を増す。
【００３７】
次に、そのアマモ生育場造成用シート１０をアマモ生育場の造成対象である沿岸域等の海域に運搬し海中に投入することで、図３（ａ）のようにアマモ生育場造成用シート１０が海底Ｇに到達し、各ポット部１２がその自重で海底Ｇ内に入り込む。このとき、シート材１１と海底Ｇとの間は完全に密着せずかつシート材１１がヤシガラマット等からなり通水性がよいので、シート材１１の下に生育する底生生物が移動でき、その生育を妨げない。
【００３８】
次に、シート材１１やポット部１２は時間の経過とともに図３（ｂ）の破線で示すように分解し消滅する一方、図３（ｂ）のようにアマモが発芽する。また、分解前の各ポット部１２内のアマモ種子入り粒状化物３０及び泥粒状化物３１は、軟化しアマモの栄養分となるが、その形状は現状をとどめるため、比重が軽く流失し易い発芽個体が根を張るまでは固定基盤となり、図３（ｂ）のアマモの発芽体が根を張る際の支持基盤となる。このため、波浪によるアマモ種子・発芽個体が流失し難くなり、海底Ｇでアマモを確実に成長させることができる。
【００３９】
以上のように、図１（ａ）〜（ｃ）のアマモ生育場造成用シート１０を用いた顕花植物生育場造成方法によれば、シート材１１が通水性であるので、海底に設置後にシートの下に生育する底生生物の成育を阻害しない。また、比較的広いシート材１１の複数のポット部１２にアマモ育成補助用材料を詰め込み海底に設置できるので、広範囲に均一に播種できる。
【００４０】
また、ポット部１２内はアマモ種子入りの粒状化物３０と泥粒状化物３１と栄養剤３２とがポット部内で密集することでアマモの発芽に必要な適度な嫌気状態を保ち、かつ、泥粒状化物３１や栄養剤３２等からアマモの生長に必要な底質内の栄養分や酸素を提供できる状態となるため、アマモの発芽・生長に適した環境にできる。また、発芽後には軟化したアマモ種子入り粒状化物３０及び泥粒状化物３１が発芽個体が根を張るまでは固定基盤となり、根を張るときには支持基盤となり、更にシート材１１やポット部１２が根を張る基盤の一部となる。以上のようにして、アマモ種子の発芽率を向上でき、波浪によるアマモ種子・発芽個体の流失を阻止できるので、アマモを確実に育成でき、アマモ生育場を確実かつ効率的に造成できる。
【００４１】
また、ポット部１２内に砂及び／又は礫を含むことで、アマモの支持基盤を安定させることができ、アマモ生育場が海底Ｇで造成されるときに浸食防止及び底質安定性の向上に寄与できる。
【００４２】
〈第２の実施の形態〉
【００４３】
図４は、第２の実施の形態によるアマモ生育場造成用ネットを概略的に示す斜視図（ａ）、図１（ａ）のアマモ生育場造成用ネットの概略的な平面図（ｂ）、及び図１（ｂ）のＣ−Ｃ線方向に切断して見た概略的な断面図（ｃ）である。
【００４４】
図４（ａ）乃至（ｃ）に示すように、アマモ生育場造成用ネット２０は、比較的広く縦横にそれぞれほぼ一定間隔で空間２２が形成されて網目状に形成されたネット材２１と、ネット材２１の網目の交点に縦横にそれぞれほぼ一定間隔で配置された複数のポット部１２と、を備える。
【００４５】
各ポット部１２は図１（ａ）乃至（ｃ）と同様に構成され、また、ポット部１２内に詰め込まれるアマモ育成補助用材料であるアマモ種子入り粒状化物３０、泥粒状化物３１、及び粒状の栄養剤３２は、第１の実施の形態と同様である。また、同様に、ポット部１２に砂や礫を加えて自重を増やすことが好ましい。
【００４６】
また、ネット材２１及びポット部１２を構成する材料も第１の実施の形態と同様であってよく、例えば、天然素材からなるヤシガラマットやヤシ繊維製の植生マットやアセチルロース等の生分解性樹脂からなる公知の生分解性シートを用いることができる。なお、ネット材２１は、海底に設置されたとき空間２２のある網目構造により底生生物の移動を妨げないので、分解まで比較的時間を要する材料から形成してもよい。
【００４７】
上述のアマモ生育場造成用ネット２０を用いて第１の実施の形態と同様にしてアマモ生育場を造成することができ、同様の効果を得ることができる。
【００４８】
以上のように、第１及び第２の実施の形態によれば、従来の一般的なマット工法ではマット全面に播種を施し、また、マットや土嚢が分解されるまでの期間その下の底生生物が逃げることができずに底生生物に悪影響を及ぼすのに対し、アマモ生育場造成用シート１０及びアマモ生育場造成用ネット２０では適当な間隔で複数のポット部１２を有し、それ以外のシート部分・ネット部分は通水性の高い状態となっているため、シート・ネットの下で生息する底生生物も移動でき、その生息に悪影響を与えない。
【００４９】
また、マット式では生長後に根を張る基盤が存在しないため、アマモの生育に適した場でないと、発芽・生長後に流失する可能性が高いのに対し、ポット部１２内のアマモ種子入りの粒状化物３０と泥粒状化物３１は、時間の経過とともに軟化しても形状は現状をとどめるため、発芽体の根が海底に張っていく際の支持基盤となり、アマモ種子は粒状物や栄養剤に囲まれているため、波浪により流失せず、また流失周辺の底生生物に捕食される心配がない。
【００５０】
以上のように本発明を実施の形態により説明したが、本発明はこれらに限定されるものではなく、本発明の技術的思想の範囲内で各種の変形が可能である。例えば、アマモ生育場造成用シート１０及びアマモ生育場造成用ネット２０は、その全体の面積を適度に調整し、適当な数のポット部１２を備え付けるように構成できる。また、アマモ生育場造成用ネット２０は、網目の交点にポット部１２を配置したが、網目の空間２２内にポット部１２を配置して固定してもよい。
【図面の簡単な説明】
【００５１】
【図１】第１の実施の形態によるアマモ生育場造成用シートを概略的に示す斜視図（ａ）、図１（ａ）のアマモ生育場造成用シートの概略的な平面図（ｂ）、及び図１（ｂ）のＣ−Ｃ線方向に切断して見た概略的な断面図（ｃ）である。
【図２】図１のアマモ種子入り粒状化物を製造可能な造粒プラントの模式図（ａ）及び製造されたアマモ種子入り粒状化物を示す模式図（ｂ）である。
【図３】図１のアマモ生育場造成用シートを海底に設置した状態（ａ）及び発芽後の状態（ｂ）をそれぞれ模式的に示す図である。
【図４】第２の実施の形態によるアマモ生育場造成用ネットを概略的に示す斜視図（ａ）、図１（ａ）のアマモ生育場造成用ネットの概略的な平面図（ｂ）、及び図１（ｂ）のＣ−Ｃ線方向に切断して見た概略的な断面図（ｃ）である。
【符号の説明】
【００５２】
１０ アマモ生育場造成用シート
１１ シート材
１２ ポット部
２０ アマモ生育場造成用ネット
２１ ネット材
２９ アマモ種子
３０ アマモ種子入り粒状化物（顕花植物種子入りの粒状物）
３１ 泥粒状物（泥粒状物）
３２ 栄養剤
３８ 造粒プラント
Ｇ 海底
ｄ ポット部の深さ
【図１】
2005261289.tif 000003
【図２】
2005261289.tif 000004
【図３】
2005261289.tif 000005
【図４】
2005261289.tif 000006